(57)【要約】【課題】  音声記録開始・終了時、音声記録スイッチのオンで記録を開始すると、音声記録スイッチの動作音が音声に混入して記録され、記録された音声の品位を著しく低下させてしまう。【解決手段】  音声を記録していない状態から音声記録スイッチがオン状態となり、次いでオフ状態へと遷移したことを検知してから音声記録を開始することで、音声記録スイッチの動作音が音声記録に混入することを防止する。【選択図】        図１
2006094278.tif 000002
【特許請求の範囲】
【請求項１】
音声記録手段及び音声記録スイッチを備えた音声記録装置の音声記録制御装置であって、前記音声記録スイッチがオフ状態からオン状態、次いでオフ状態へと遷移したことを検知したときに前記音声記録手段による音声記録を開始することを特徴とする音声記録装置の音声記録制御装置。
【請求項２】
音声記録手段及び音声記録スイッチを備えた音声記録装置の音声記録制御装置であって、前記音声記録スイッチがオフ状態からオン状態、次いでオフ状態へと遷移したことを検知した後、所定時間経過後に音声記録を開始することを特徴とする音声記録装置の音声記録制御装置。
【請求項３】
音声記録手段及び音声記録スイッチを備えた音声記録装置の音声記録制御装置であって、前記音声記録スイッチがオフ状態からオン状態に遷移したことを検知したときに音声記録操作の受付を示す表示を行い、次いで前記音声記録スイッチがオン状態からオフ状態へと遷移したことを検知したときに音声記録を開始することを特徴とする音声記録装置の音声記録制御装置。
【請求項４】
請求項１乃至３の何れか１項に記載の音声記録制御装置を備えたことを特徴とするデジタルカメラ。
【請求項５】
前記音声記録スイッチは、撮影のためのレリーズスイッチを兼ね、音声記録時に音声記録スイッチの機能を果すことを特徴とする請求項４に記載のデジタルカメラ。
【発明の詳細な説明】
【技術分野】
【０００１】
本発明は、音声記録制御装置に関する。特に、デジタルカメラに有用な音声記録制御装置に関するものである。
【背景技術】
【０００２】
近年、静止画撮影機能だけでなく、音声記録を含む動画撮影機能も備えたデジタルカメラの普及が進んでいる（例えば、特許文献１参照）。又、音声記録は、動画撮影に対応した記録だけでなく、音声だけを記録する、いわゆるボイスレコーダ機能も兼ね備えていることが多い（例えば、特許文献２参照）。
【０００３】
一方、デジタルカメラには、スイッチやキーの操作に連動して電子音等で操作を告知するためのスピーカやブザー等の発音手段を備えたものもあり、これらの発音手段が出す音や、撮影レンズの電動ズーム音や電動フォーカス音、操作スイッチのダイヤフラムの反転音、操作スイッチとカメラ筐体との摩擦音等、カメラの機構自体が発する音も存在し、音声記録時に、これらの記録の対象となっている音以外の有害音が混入してしまうことで音声記録の品位を低下させる大きな要因となっている。
【０００４】
そこで、音声記録に記録の対象となっている音以外の有害音が混入してしまうことを回避する手段として、（１）カメラ本体から出る音の混入を防止するため、動画の記録が開始されるとカメラが発する起動音、操作音などの発音を禁止するもの（例えば、特許文献３参照）や、（２）操作部材とマイクの位置関係を遠ざけることで操作音の混入を低減するもの（例えば、特許文献４参照）、（３）音声記録時は２段押しのシャッタボタンの第２スイッチがオンされると音声記録を開始し、シャッタボタンの第１スイッチおよび第２スイッチが解除された後再びシャッタボタンが半押しされて第１スイッチがオンされると音声記録を終了するもの（例えば、特許文献５参照）などが知られている。
【特許文献１】特開平９−３２２０４３号公報（図１及び図２）
【特許文献２】特開２００２−２２３４０３号公報
【特許文献３】特開２００３−０５１９７７号公報
【特許文献４】特開２０００−１５２０４９号公報
【特許文献５】特開２００３−０７８８６６号公報
【発明の開示】
【発明が解決しようとする課題】
【０００５】
しかしながら、特許文献３で提案された方法では、音声記録開始・終了を入力するためのスイッチのダイヤフラムの反転音や、操作部材とカメラ筐体との摩擦音等を排除することはできず、記録される音声の品位低下を防止するには至らない。
【０００６】
又、特許文献４で提案された方法では、操作部材とマイクの位置関係に大きな制約を及ぼし、カメラの各部レイアウトが困難になり小型化の障害となる。
【０００７】
更に、特許文献５で提案された方法では、２段押しのシャッタボタンの第２スイッチがオンされて音声記録を開始した後、シャッタボタンの第１スイッチおよび第２スイッチが解除されるときのスイッチのダイヤフラムの反転音や、操作部材とカメラ筐体との摩擦音等を排除することはできず、記録される音声の品位低下を防止するには至らない。
【０００８】
本発明は、上記事情に鑑みてなされたもので、音声記録制御機能を備えたデジタルカメラにおいて、特に構成部品を追加することなく、音声記録開始・終了を入力するためのスイッチのダイヤフラムの反転音や、操作部材とカメラ筐体との摩擦音等が記録される音声に混入することを防止し、記録される音声の品位を確保することのできるデジタルカメラを提供することを目的とする。
【課題を解決するための手段】
【０００９】
本発明の目的は、下記構成により達成することができる。
【００１０】
（請求項１）
音声記録手段及び音声記録スイッチを備えた音声記録装置の音声記録制御装置であって、前記音声記録スイッチがオフ状態からオン状態、次いでオフ状態へと遷移したことを検知したときに前記音声記録手段による音声記録を開始することを特徴とする音声記録装置の音声記録制御装置。
【００１１】
（請求項２）
音声記録手段及び音声記録スイッチを備えた音声記録装置の音声記録制御装置であって、前記音声記録スイッチがオフ状態からオン状態、次いでオフ状態へと遷移したことを検知した後、所定時間経過後に音声記録を開始することを特徴とする音声記録装置の音声記録制御装置。
【００１２】
（請求項３）
音声記録手段及び音声記録スイッチを備えた音声記録装置の音声記録制御装置であって、前記音声記録スイッチがオフ状態からオン状態に遷移したことを検知したときに音声記録操作の受付を示す表示を行い、次いで前記音声記録スイッチがオン状態からオフ状態へと遷移したことを検知したときに音声記録を開始することを特徴とする音声記録装置の音声記録制御装置。
【００１３】
（請求項４）
請求項１乃至３の何れか１項に記載の音声記録制御装置を備えたことを特徴とするデジタルカメラ。
【００１４】
（請求項５）
前記音声記録スイッチは、撮影のためのレリーズスイッチを兼ね、音声記録時に音声記録スイッチの機能を果すことを特徴とする請求項４に記載のデジタルカメラ。
【発明の効果】
【００１５】
本発明の請求項１によれば、音声記録スイッチがオフからオン、次いでオフに遷移することを検知した後に音声記録を開始することで、音声記録スイッチの操作音が記録される音声に混入することなく、記録される音声の品位を確保することができる。
【００１６】
本発明の請求項２によれば、音声記録スイッチがオフからオン、次いでオフに遷移することを検知した後、所定時間経過後に音声記録を開始することで、音声記録スイッチがオフした後も残留する音声記録スイッチの操作音及び音声記録スイッチの操作に関わる他の記録対象外の音声が、記録される音声に混入することなく、記録される音声の品位を確保することができる。
【００１７】
本発明の請求項３によれば、音声記録スイッチがオフからオンに遷移したことを検知したときに音声記録操作の受付を示す表示を行うことで、ユーザに音声記録操作の受付を告知して音声記録スイッチをオフすることを示唆し、次いでオフに遷移することを検知した後に音声記録を開始することで、音声記録スイッチの操作音が記録される音声に混入することなく、記録される音声の品位を確保することができる。
【００１８】
本発明の請求項４および５によれば、本発明を特にデジタルカメラに実施することで、レリーズスイッチを音声記録スイッチに兼用した場合の、レリーズスイッチの操作音が記録される音声に混入することなく、記録される音声の品位を確保することができる。
【発明を実施するための最良の形態】
【００１９】
以下、図面に基づき本発明の実施の形態を説明する。
【００２０】
図１は、本発明に係る音声記録制御装置を備えたデジタルカメラ１の外観模式図で、図１（ａ）は正面図、図１（ｂ）は背面図である。なお、本実施の形態においてデジタルカメラ１は音声記録装置としても機能するものである。
【００２１】
デジタルカメラ１の正面には、音声記録手段の一部として機能するマイク１０３の開口部１０３ａ、光学ファインダ１０４の対物部１０４ｂ、カメラを把持するためのグリップ１０５、フラッシュ１０６、撮影レンズ１０７が設置されている。
【００２２】
デジタルカメラ１の上面には、撮影のための操作部材であるレリーズボタン１０１が設置されている。デジタルカメラ１の内部でレリーズボタン１０１の下部には後述するレリーズスイッチＳＲが配置されている。本発明の実施の形態では、レリーズボタン１０１及びレリーズスイッチＳＲを、音声付の動画、及び音声を記録するための音声記録スイッチとして機能する操作部材を兼ねるものとして説明する。もちろん、音声記録専用の操作部材を別途設けてもよい。又デジタルカメラ１の上面には、デジタルカメラ１の動作モードを設定するモード設定ダイアル１０２も設置されている。カメラの動作モードには、静止画記録モード、音声付動画記録モード、ボイスレコーダモード、再生モード、通信モード等があり、択一的に選択できる。
【００２３】
デジタルカメラ１の背面には、電源スイッチ１１０と、光学ファインダ１０４の接眼部１０４ａが設置されている。又、光学ファインダ１０４の接眼部１０４ａの近傍には、接眼表示部１１２とスピーカ１１４の開口部１１４ａが設置されている。接眼表示部１１２は、ＬＥＤ等で構成され、光で告知を行う光学告知手段として機能し、スピーカ１１４は記録された音声を再生する音声再生手段として、あるいは音で告知を行う発音手段として機能する。
【００２４】
デジタルカメラ１の背面には、液晶パネル等で構成される画像表示部１１３も設置され、撮像されている画像のライブビューや撮影された画像の再生画像、各種設定画面の表示等が可能である。又、画像表示部への表示のオン／オフを設定する表示スイッチ１１１も設置されている。
【００２５】
図２は、音声記録スイッチとして機能するレリーズボタン１０１とその下部に配置されたレリーズスイッチＳＲの概要を示す図で、図２（ａ）はレリーズボタン１０１が押されていない状態を、図２（ｂ）はレリーズボタン１０１が押された状態を示している。図中、図１と同じ部分には同じ番号を付与した。
【００２６】
レリーズボタン１０１は、デジタルカメラ１のカメラカメラ筐体穴部１１に下側から挿入されており、レリーズボタン１０１とそのツバ部１０１ａ及びカメラカメラ筐体穴部１１とで上下にスライドするように構成されている。又レリーズボタン１０１は、通常はレリーズスイッチＳＲを構成するダイヤフラム２０２のバネ性によりレリーズボタン軸１０１ｂを介して上向きに付勢されている。レリーズスイッチＳＲは、上部中央に穴の開いたカバー２０１とスイッチ切片であるダイヤフラム２０２、スイッチ基板２０３から構成されている。スイッチ基板２０３上には、スイッチ接点２０４と２０５がパターン化されており、ダイヤフラム２０２はその一部が外側の接点２０４と電気的に接触している。
【００２７】
レリーズボタン１０１が押し込まれる（図２（ｂ）の状態）と、ダイヤフラム２０２がレリーズボタン軸１０１ｂによって押され、ダイヤフラム２０２の既定のバネ性を超えた押し圧を受けると中央部が反転を起こして、図２（ｂ）に示すようにダイヤフラム２０２の中央部が凹んでスイッチ基板上のスイッチ接点２０５に接触する。これによって、ダイヤフラム２０２を介してスイッチ接点２０４と２０５が導通し、レリーズスイッチＳＲがオンしたことになる。尚、このダイヤフラムの反転時に「カチッ」あるいは「ペキッ」というダイヤフラム特有の反転音が出る。
【００２８】
レリーズボタン１０１を押し込むのをやめれば、ダイヤフラム２０２はそれ自身のバネ性で元の形に反転し、レリーズボタン軸１０１ｂを介してレリーズボタン１０１を押し上げ、図２（ａ）の状態に復帰する。この時にも「カチッ」あるいは「ペキッ」というダイヤフラム特有の反転音が出る。
【００２９】
又、レリーズボタン１０１が押し込まれる時も押し上げられる時も、レリーズボタン１０１本体及びツバ部１０１ａとデジタルカメラ１のカメラ筐体穴部１１とが擦れ合い、摩擦音が発生する。
【００３０】
図３は本発明に係るデジタルカメラ１の回路ブロック図である。図中、図１及び図２と同じ部分には同じ番号を付与した。
【００３１】
制御部であるカメラコントローラ１００は、図示しないＣＰＵ（中央処理装置）、ワークメモリ等から構成され、図示しない記憶部に記憶されているプログラムをワークメモリに読み出し、当該プログラムに従ってデジタルカメラ１の各部を集中制御するとともに、電源スイッチ１１０、モード設定ダイアル１０２、レリーズスイッチＳＲ、表示スイッチ１１１等の設定状態を読み取り、設定状態に合わせてデジタルカメラ１の動作を制御する。更に、カメラコントローラ１００は、レリーズスイッチＳＲと音声記録スタートタイマ１４３と連動して、マイク１０３からの音声信号を音声処理部１４１を介して取り込み、音声データ１４２として画像制御部１２２に送信するとともに、音声再生時には、画像メモリ１２４に蓄えられた音声データを画像制御部１２２を介して取り込み、音声処理部１４１を介してスピーカ１１４で再生する。すなわち、カメラコントローラ１００は、音声記録手段及び音声記録制御装置としての機能を有するものである。
【００３２】
又、カメラコントローラ１００は、画像制御部１２２と連動して、撮像素子１２１の静止画撮像タイミングに同期して発光制御部１５１を介してフラッシュ１０６の発光を制御する。又、カメラコントローラ１００は、画像メモリ１２４に蓄えられた画像データを画像制御部１２２経由でライブビュー画像信号１４４として受け取り、表示スイッチ１１１の設定状態に合わせて、画像表示部１１３への表示を制御する。
【００３３】
撮影レンズ１０７によって結像される画像は、撮像素子１２１で撮像された後、画像処理部１２３で処理を施したデジタル画像データに変換され、画像制御部１２２によって画像メモリ１２４に蓄えられる。又、カメラコントローラ１００から送信された音声データ１４２は、画像制御部１２２によって、撮像した動画データと対応付けた音声データとして、あるいは単独の音声データとして画像メモリ１２４に蓄えられる。
【００３４】
次に、本発明に係るデジタルカメラ１での音声記録の制御を、図４と図５を用いて説明する。図４と図５は、デジタルカメラ１での音声記録の制御の流れを示すフローチャートである。
【００３５】
まず、図４のステップＳ０１で電源スイッチ１１０が操作されてデジタルカメラ１の電源がオンされると、ステップＳ０２でカメラ起動時の動作モードが判別される。ここでは、モード設定ダイアル１０２を用いて「音声付動画記録モード」に設定されている（ステップＳ０２；ＹＥＳ）として、音声付動画記録モードが起動される。
【００３６】
音声付動画記録モードが起動されると、ステップＳ１１でレリーズスイッチＳＲがオンされたかどうかが判断され、レリーズスイッチＳＲがオンされるまでステップＳ１１で待機する。レリーズスイッチＳＲがオンされたら（ステップＳ１１；ＹＥＳ）、ステップＳ１２でレリーズスイッチＳＲがオフされたかどうか、つまりユーザがレリーズボタン１０１を一度押し込んだ後にレリーズボタン１０１を離したかどうかが判断される。ユーザがレリーズボタンを離したら（ステップＳ１２；ＹＥＳ）、ステップＳ１３で音声記録スタートタイマ１４３に、レリーズスイッチＳＲのダイヤフラムがオンからオフになる時の反転音やレリーズボタン１０１とカメラカメラ筐体穴部１１との摩擦音等が消えるまでの時間に相当する所定値が設定され、ステップＳ１４とステップＳ１５でタイマがダウンカウントされて、所定時間経過後ステップＳ１６で音声付動画の記録が開始される。
【００３７】
ここでは、レリーズスイッチＳＲがオフされてから所定時間経過後に音声付動画の記録を開始することとしたが、レリーズスイッチＳＲのダイヤフラム２０２の反転音やレリーズボタン１０１とカメラカメラ筐体穴部１１との摩擦音等がレリーズスイッチのオフ後速やかに消える場合は、所定時間の経過を待つことなくレリーズスイッチＳＲオフ後直ちに音声付動画の記録を開始してもよい。
【００３８】
次に、ステップＳ１７で、音声付動画の記録を終了するために再度レリーズスイッチＳＲがオンされるのを待ち、レリーズスイッチＳＲがオンされたら（ステップＳ１７；ＹＥＳ）、ステップＳ１８で音声付動画の記録が終了される。ここでは、レリーズスイッチＳＲがオンされたら直ちに音声付動画の記録を終了することとしたが、後述するステップＳ３０からＳ３２の動作のように、レリーズスイッチＳＲのダイヤフラム２０２の反転音やレリーズボタン１０１とカメラカメラ筐体穴部１１との摩擦音等が混入している可能性のある音声付動画データの最後部の所定時間分を消去した上で記録を終了してもよい。
【００３９】
ステップＳ０２のカメラ起動時の動作モード判別で、「音声付動画記録モード」に設定されていない場合（ステップＳ０２；ＮＯ）、図５のステップＳ２１で「ボイスレコーダモード」に設定されているかどうかが判別される。「ボイスレコーダモード」に設定されていない場合は（ステップＳ２１；ＮＯ）、ステップＳ４１で「動画記録モード」、「ボイスレコーダモード」以外のモードの判別が行われ、各々のモードの制御が行われる。「動画記録モード」、「ボイスレコーダモード」以外の各モードの制御については説明を省略する。
【００４０】
ステップＳ２１で「ボイスレコーダモード」に設定されている場合（ステップＳ２１；ＹＥＳ）、ステップＳ２２でレリーズスイッチＳＲがオンされたかどうかが判断され、レリーズスイッチＳＲがオンされるまでステップＳ２２で待機する。レリーズスイッチＳＲがオンされたら（ステップＳ２２；ＹＥＳ）、ステップＳ２３で音声記録操作を受け付けたことを告知するために接眼表示部１１２が点灯され、ステップＳ２４で受付告知のための接眼表示部１１２点灯時間に相当する所定値が音声記録スタートタイマ１４３に設定され、ステップＳ２５とステップＳ２６でタイマがダウンカウントされて、所定時間経過後ステップＳ２７で音声記録操作を受け付けたことを告知するために点灯されていた接眼表示部１１２が消灯される。ここでは、音声記録操作受付を接眼表示部１１２の点灯で告知したが、スピーカ１１４を用いて音で受付を告知してもよい。
【００４１】
次に、ステップＳ２８でレリーズスイッチＳＲがオフされたかどうか、つまりユーザがレリーズボタン１０１を一度押し込んだ後にレリーズボタン１０１を離したかどうかが判断される。ユーザがレリーズボタン１０１を離したら（ステップＳ２８；ＹＥＳ）、ステップＳ２９で音声記録が開始される。音声記録が開始されると、ステップＳ３０で音声記録を終了するために再度レリーズスイッチＳＲがオンされるのを待ち、レリーズスイッチＳＲがオンされたら（ステップＳ３０；ＹＥＳ）、ステップＳ３１で、記録された音声データの最後部の、レリーズスイッチＳＲのダイヤフラムがオフからオンになる時の反転音やレリーズボタン１０１とカメラ筐体穴部１１との摩擦音等が消えるまでの時間に相当する所定時間分の音声データを消去し、ステップＳ３２で音声記録が終了される。
【００４２】
ここでは、レリーズスイッチＳＲがオフされたらすぐに音声記録を開始することとしたが、ステップＳ１３からＳ１５に示したようにレリーズスイッチＳＲがオフされてから所定時間経過後に音声記録を開始することとしてもよい。又、ここでは再度レリーズスイッチＳＲがオンされたら、記録された音声データの最後部の所定時間分の音声データを消去してから音声記録を終了するとして説明したが、ステップＳ１７からＳ１８に示したように、レリーズスイッチＳＲがオンされたら直ちに音声記録を終了するようにしてもよい。
【００４３】
その他、本発明に係る音声記録装置及びデジタルカメラを構成する各構成の細部構成及び細部動作に関しても、本発明の趣旨を逸脱することのない範囲で適宜変更可能である。
【図面の簡単な説明】
【００４４】
【図１】本発明に係る音声記録制御装置を備えたデジタルカメラの外観模式図である。
【図２】本発明に係る音声記録スイッチの構成模式図である。
【図３】本発明に係る音声記録制御装置を備えたデジタルカメラの回路ブロック図である。
【図４】本発明に係る音声記録の制御の流れを示すフローチャート（１／２）である。
【図５】本発明に係る音声記録の制御の流れを示すフローチャート（２／２）である。
【符号の説明】
【００４５】
１  デジタルカメラ
１１  カメラ筐体穴部
１００  カメラコントローラ
１０１  レリーズボタン
１０１ａ  レリーズボタンツバ部
１０１ｂ  レリーズボタン軸
１０２  モード設定ダイアル
１０３  マイク
１０３ａ  マイク開口部
１０４  光学ファインダ
１０４ａ  光学ファインダ接眼部
１０４ｂ  光学ファインダ対物部
１０５  グリップ
１０６  フラッシュ
１０７  撮影レンズ
１１０  電源スイッチ
１１１  表示スイッチ
１１２  接眼表示部
１１３  画像表示部
１１４  スピーカ
１１４ａ  スピーカ開口部
１２１  撮像素子
１２２  画像制御部
１２３  画像処理部
１２４  画像メモリ
１４１  音声処理部
１４２  音声データ
１４３  音声記録スタートタイマ
１４４  ライブビュー画像信号
１５１  発光制御部
２０１  カバー
２０２  ダイヤフラム
２０３  スイッチ基板
２０４  スイッチ接点
２０５  スイッチ接点
ＳＲ  レリーズスイッチ
【図１】
2006094278.tif 000003
【図２】
2006094278.tif 000004
【図３】
2006094278.tif 000005
【図４】
2006094278.tif 000006
【図５】
2006094278.tif 000007